(57)【要約】  【課題】  日常における自律神経の過度の緊張を効率よく検知することができ、検査結果を有効なデータとして用いて自律神経系の異常の原因を短時間に突き止めることが可能となる自律神経検査装置を提供する。  【解決手段】  自律神経系のパラメータとして血圧を測定する携帯可能なパラメータ測定器１０２、１０３と、パラメータ測定器の測定結果を長時間にわたり記憶する携帯可能な長時間血圧記憶部１０８と、記憶されたデータに基づいて自律神経系の異常を判定する判定部１０９と、判定結果を表示する表示部１１０とを備えた。【選択図】  図１
2005034470.tif 000002
【特許請求の範囲】
【請求項１】
自律神経系のパラメータを測定する携帯可能なパラメータ測定器と、
前記パラメータ測定器の測定結果を長時間にわたり記憶する携帯可能なパラメータ記憶部と、
前記パラメータ記憶部により記憶されたデータに基づいて自律神経系の異常を判定する判定部と、
前記判定部による判定結果を表示する表示部とを、
備えた自律神経検査装置。
【請求項２】
前記判定部は、前記パラメータ記憶部により記憶されたデータのピーク値を検出し、前記ピーク値の直前の所定時間帯におけるデータの移動平均値を演算し、前記ピーク値が前記移動平均値より設定値以上高いときに異常であると判定する請求項１に記載の自律神経検査装置。
【請求項３】
音声又は画像の少なくともいずれかを取り込む携帯可能なセンサと、前記センサによるデータを長時間にわたり記憶するセンサデータ記憶器と、記憶された音声又は画像を再生する再生機とをさらに備えた請求項１又は２に記載の自律神経検査装置。
【請求項４】
前記パラメータ記憶部と前記センサデータ記憶器とに、記憶されるパラメータ及び音声又は画像と共に時間データを記憶させるために前記時間データを与える携帯可能な時間データ発生器と、前記パラメータの表示と音声又は画像の再生箇所を前記時間データを基にして指定するための携帯可能な時間指定器とをさらに備えた請求項３に記載の自律神経検査装置。
【請求項５】
前記パラメータ測定器と前記パラメータ記憶部との間に、データを無線通信する無線通信手段をさらに備えた請求項４に記載の自律神経検査装置。
【発明の詳細な説明】
【技術分野】
【０００１】
本発明は、皮膚抵抗、心拍数、呼吸数、血圧、体温など自律神経系に関するパラメータの測定を行い体内の情報を得るための自律神経検査装置に関する。
【背景技術】
【０００２】
自律神経は生体が生命を維持するための基本的な機能をつかさどる神経系であり、活動時に支配的となる交感神経系と、休息時に支配的となる副交感神経系の２つから成り立っている。交感神経系の活動、すなわち、発汗、心拍数の増加、呼吸数の増加、血圧の上昇、体温、瞳孔径の変化などを用いて、自律神経の状態を測る測定装置が既に知られている（例えば、下記の特許文献１及び特許文献２参照）。
【特許文献１】特開平１１−３４２１２０号公報（図１〜図３、段落０００５）
【特許文献２】特開平７−１７１１０４号公報（請求項３、図７）
【０００３】
自律神経の機能状態を見る方法として寒冷昇圧試験がよく知られている。寒冷昇圧試験の方法について図６を用いて説明する。図６に示すように、生体１００に血圧センサ１０２がセットされており、これに接続された血圧計１０３により血圧が測定される。まず、安静時に、生体１００の最高血圧を血圧センサ１０２を用いて血圧計１０３で測定し、測定結果を初回血圧記憶部１０４に記憶させる。次に、生体１００の手（図示せず）を１５秒間、氷水１０１につけ、その後、同様にして最高血圧を測り、測定結果を２回目血圧記憶部１０５に記憶させる。そして、２回の血圧測定の結果の差を差分判定部１０６で判定し、判定結果を表示部１０７に表示する。判定結果としては、差が、所定範囲以内ならば適正、大きければ反応過剰、小さければ反応不足と判定される。
【発明の開示】
【発明が解決しようとする課題】
【０００４】
しかしながら、従来例において、例えば、上述の寒冷昇圧試験においては血管系の自律神経状態をよく反映しているものの、次のような問題がある。第１の問題は、寒冷昇圧試験は特殊な条件下で行われるものであり、寒冷昇圧試験により得られる値は、特殊な状況下における身体のコンディションにおいての値でしかなく、日常生活での自律神経状態は測れないということである。血圧は、図２に示すように、１日のうちに大きく変動する。変動の要因は、就寝、緊張、食事、運動など様々な要因によるものであり、寒冷昇圧試験ではこれらの状況を考慮に入れていない。第２の問題は、その他の日常的な環境下における測定でも、自律神経系のパラメータの異常値がなぜ生じたのかの因果関係を容易に突き止めることができないということである。
【０００５】
本発明はこれらの問題を解決し、日常における自律神経の過度の緊張を効率よく検知することができ、検査結果を有効なデータとして用いて自律神経系の異常の原因を短時間に突き止めることが可能となる自律神経検査装置を提供することを目的とする。
【課題を解決するための手段】
【０００６】
本発明に係る自律神経検査装置は、自律神経系のパラメータを測定する携帯可能なパラメータ測定器と、前記パラメータ測定器の測定結果を長時間にわたり記憶する携帯可能なパラメータ記憶部と、前記パラメータ記憶部により記憶されたデータに基づいて自律神経系の異常を判定する判定部と、前記判定部による判定結果を表示する表示部とを備えたことを特徴とする。この構成により、自律神経に関するパラメータの経時変化を長時間にわたりリアルタイムに測定して表示するとともに、異常個所のピーク値とその時間を判定して表示するため、日常における自律神経の過度の緊張を効率よく検知することができ、検査結果を有効なデータとして用いて、自律神経系の異常の原因を短時間に突き止めることが可能となる。
【０００７】
また、前記判定部は、前記パラメータ記憶部により記憶されたデータのピーク値を検出し、前記ピーク値の直前の所定時間帯におけるデータの移動平均値を演算し、前記ピーク値が前記移動平均値より設定値以上高いときに異常であると判定することを特徴とする。この構成により、日常における自律神経の過度の緊張を効率よく検知することができ、検査結果を有効なデータとして用いて、自律神経系の異常の原因を短時間に突き止めることが可能となる。
【０００８】
また、音声又は画像の少なくともいずれかを取り込む携帯可能なセンサと、前記センサによるデータを長時間にわたり記憶するセンサデータ記憶器と、記憶された音声又は画像を再生する再生機とをさらに備えたことを特徴とする。この構成により、音声又は画像を再生して、自律神経を大きく乱す要因を同定しやすくすることができる。
【０００９】
また、前記パラメータ記憶部と前記センサデータ記憶器とに、記憶されるパラメータ及び音声又は画像と共に時間データを記憶させるために前記時間データを与える携帯可能な時間データ発生器と、前記パラメータの表示と音声又は画像の再生箇所を前記時間データを基にして指定するための携帯可能な時間指定器とをさらに備えたことを特徴とする。この構成により、異常箇所の音声又は画像の抽出がより容易に行えるようになり、異常箇所で被験者が何をしていたかが、より突き止めやすくなる。
【００１０】
さらに、前記パラメータ測定器と前記パラメータ記憶部との間に、データを無線通信する無線通信手段をさらに備えたことを特徴とする。この構成により、被験者が身につける自律神経パラメータ収集装置を小型軽量化することができ、負担の少ない状態での測定が可能となる。
【発明の効果】
【００１１】
本発明は、日常における自律神経の過度の緊張を効率よく検知することができ、検査結果を有効なデータとして用いて、自律神経系の異常の原因を短時間に突き止めることが可能となる。
【発明を実施するための最良の形態】
【００１２】
以下、本発明の実施の形態について図面を用いて説明する。
＜実施の形態１＞
図１は、本発明の実施の形態１における自律神経検査装置の構成を示すブロック図である。本実施の形態１における自律神経検査装置は、自律神経系のパラメータとして血圧を測定する携帯可能なパラメータ測定器として、生体１００に据付けた血圧センサ１０２と、この血圧センサ１０２から血圧を測定する血圧計１０３とを備える。また、このような測定器により測定された血圧を、随時、長時間にわたり記憶できる携帯可能な長時間血圧記憶部１０８を備える。さらに、長時間血圧記憶部１０８により記憶されたデータに基づいて自律神経系の異常を判定する判定部１０９と、判定部１０９による判定結果を表示する表示部１１０とを備えている。ここで「長時間」とは、少なくとも１日以上の時間を意味しており、通常２〜３日から一週間程度に設定する。また、必要に応じてさらにメモリを増設することも可能である。
【００１３】
前述した血圧センサ１０２、血圧計１０３及び長時間血圧記憶部１０８は、携帯に十分なだけ小さく、かつリアルタイムに血圧を測定できるようになっており（適度な間をおいた間歇測定も可能）、例えば丸一日といった長時間にわたる測定が可能になっている。丸一日測定した血圧の経時変化を図２に示す。血圧は、就寝、緊張、食事、運動など様々な要因で変化するため、従来例のように安静時の２回程度の測定では細かい変動をつかみきれないことが分かる。
【００１４】
前述した血圧センサ１０２、血圧計１０３及び長時間血圧記憶部１０８による所定の測定及び記憶が済んだら、長時間血圧記憶部１０８から判定部１０９にデータを移し（１日なり１週間という規定の時間を経過してから判定部１０９にデータを転送・移動するが、データの転送・移動は、無線、赤外線フラッシュメモリなどを用いて随時転送・移動することも可能である）、判定部１０９により、自律神経が異常に高ぶっている（この場合は血圧が異常に上がっている）時間がないかが走査される。異常個所の検出については、例えば図２のある時間の血圧の各ピーク値（時間Ａでのピーク値）が、これと同時に検出するピーク値の直前の時間帯Ｔ（例えば１時間）内のデータから随時演算する移動平均値に対し、任意の設定値である例えば２０ｍｍＨｇ以上高い場合に、異常であると判定するようなアルゴリズムにより検出する。
【００１５】
図２においては、時間帯Ｔにおける平均血圧は１１５ｍｍＨｇ、時間Ａでの血圧は１４３ｍｍＨｇであり、１１５＋２０＜１４３であることから、判定部１０９は、時間Ａでの血圧を異常個所として判定し抽出する。このようにして、判定部１０９により判定された異常値（ピーク値）とその時間Ａは、図２に示す血圧の経時変化上に特定して表示される。
【００１６】
なお、図２に示すデータ解析結果の異常個所について、被験者と医師あるいは臨床心理士など（以下医療関係者と称する）により、何が原因かを話し合うことで、自律神経系の異常の原因を短時間に突き止めることが可能となる。
【００１７】
本実施の形態１では、血圧を測定する場合について述べたが、他の自律神経に関するパラメータである、皮膚抵抗、心拍数、呼吸数、体温などについても同様に実現可能である。また、２つ以上のパラメータを組み合わせて測定・判断することも可能である。
【００１８】
上述したように、実施の形態１によれば、皮膚抵抗、心拍数、呼吸数、血圧、体温など自律神経に関するパラメータの経時変化を長時間にわたりリアルタイムに測定して表示するとともに、異常個所のピーク値とその時間を判定して表示するため、日常における自律神経の過度の緊張を効率よく検知することができ、検査結果を有効なデータとして用いることができ、自律神経系の異常の原因を短時間に突き止めることが可能となる。
【００１９】
＜実施の形態２＞
図３は、本発明の実施の形態２における自律神経検査装置の構成を示すブロック図である。図３に示す構成において、図１に示す構成と同一部分は同一符号を付してその説明は省略する。この実施の形態２においては、実施の形態１に対し、音声を取り込む携帯可能なセンサとして音声取込み部１１１と、音声取込み部１１１により取り込まれた音声を長時間血圧記憶部１０８と同様に長時間にわたり記憶できる携帯可能な長時間音声記憶部１１２と、血圧の経時変化を表示する表示部１１０と同様に音声の経時変化を再生する音声再生機１１３とをさらに備えている。
【００２０】
次に、上記構成に係る動作について説明する。生体１００に据付けた血圧センサ１０２から血圧計１０３を用いて血圧が測定される。測定された血圧は、随時、長時間血圧記憶部１０８に記憶される。これと共に、音声取込み部１１１により取り込まれた音声は、長時間音声記憶部１１２に記憶される。
【００２１】
血圧センサ１０２、血圧計１０３、長時間血圧記憶部１０８、音声取込み部１１１、長時間音声記憶部１１２は、携帯に十分なだけ小さく、かつリアルタイムに血圧と音声の測定及び記憶ができるようになっており（適度な間をおいた間歇測定も可能）、例えば丸一日といった長時間にわたる測定が可能になっている。
【００２２】
前述した血圧センサ１０２、血圧計１０３、長時間血圧記憶部１０８、音声取込み部１１１、長時間音声記憶部１１２による所定の測定及び記憶が済んだら、長時間血圧記憶部１０８及び長時間音声記憶部１１２から判定部１０９にデータを移し（１日なり１週間という規定の時間を経過してから判定部１０９にデータを転送・移動するが、データの転送・移動は、無線、赤外線フラッシュメモリなどを用いて随時転送・移動することも可能である）、判定部１０９により、自律神経が異常に高ぶっている（この場合は血圧が異常に上がっている）時間がないかが走査される。
【００２３】
異常個所の検出方法には、例えば実施の形態１に挙げたような方法がある。データ解析結果の異常箇所について、被験者と医療関係者が何が原因かを話し合うことで、自律神経系の異常の原因を短時間に突き止めることが可能となるが、実施の形態１に比較して、実施の形態２では音声再生機１１３による音声の再生が行えるため、録音されている会話の内容や環境音などから異常個所で被験者が何をしていたかが、より突き止めやすくなる。
【００２４】
この実施の形態２では、血圧に加えて音声を同時に記憶する方式について説明したが、画像を同時に記憶する方式も同様にして実現できる。音声と画像は、医療関係者が聞いたり見たりして何があったのかをわかりやすく同定することができる。
【００２５】
＜実施の形態３＞
図４は、本発明の実施の形態３における自律神経検査装置の構成を示すブロック図である。図４に示す構成において、図３に示す構成と同一部分は同一符号を付してその説明は省略する。この実施の形態３においては、実施の形態２に対し、記憶されるパラメータ及び音声又は画像と共に時間データを記憶させるための時間データを与える携帯可能な時間データ発生器１１４と、血圧の表示と音声の再生を時間指定するための携帯可能な時間指定器１１５とをさらに備えている。
【００２６】
次に上記構成に係る動作について説明する。生体１００に据付けた血圧センサ１０２から血圧計１０３を用いて血圧が測定される。測定された血圧は、随時、長時間血圧記憶部１０８に記憶される。これと共に、音声取込み部１１１で取り込まれた音声は、長時間音声記憶部１１２に記憶される。
【００２７】
また、時間データ発生器１１４より発生した時間データは、長時間血圧記憶部１０８と長時間音声記憶部１１２の双方に血圧及び音声に付随したデータとして取り込まれる。
【００２８】
血圧センサ１０２、血圧計１０３、長時間血圧記憶部１０８、音声取込み部１１１、長時間音声記憶部１１２、時間データ発生器１１４は、携帯に十分なだけ小さく、かつリアルタイムに血圧と音声の測定及び記憶ができるようになっており（適度な間をおいた間歇測定も可能）、例えば丸一日といった長時間にわたる測定が可能になっている。
【００２９】
前述した血圧センサ１０２、血圧計１０３、長時間血圧記憶部１０８、音声取込み部１１１、長時間音声記憶部１１２による所定の測定及び記憶が済んだら、長時間血圧記憶部１０８及び長時間音声記憶部１１２から判定部１０９にデータを移し、判定部１０９により、自律神経の異常に高ぶっている（この場合は血圧が異常に上がっている）時間がないかが走査される。異常個所の検出方法については、例えば実施の形態１のような方法が挙げられる。
【００３０】
データ解析結果の異常箇所について、被験者と医療関係者が何が原因かを話し合うことで、自律神経系の異常の原因を短時間に突き止めることが可能となるが、実施の形態２に比較して、実施の形態３では異常箇所の時間を時間指定器１１５で指定し、この部分の音声を指定して再生することが可能なため、録音されている会話の内容や環境音などから異常箇所の抽出がより容易に行えるようになり、異常箇所で何をしていたかが、より突き止めやすくなる。
【００３１】
この実施の形態３では、音声を同時に記憶する方式について説明したが、画像を記憶する方式も同様にして実現できる。
【００３２】
＜実施の形態４＞
図５は、本発明の実施の形態４における自律神経検査装置の構成を示すブロック図である。本実施の形態４では、血圧計１０３と長時間血圧記憶部１０８の間に、無線通信手段として、無線送信器１１６と無線受信器１１７が設けられていることが、実施の形態３と異なる部分である。
【００３３】
無線送信器１１６と無線受信器１１７で血圧計１０３と長時間血圧記憶部１０８とを切り離したことにより、被験者が携帯する部分を軽量化することができ、負担を軽減させることができる。特に、同時取込みデータが画像の場合には画像取込み部や記憶部の物量が問題となるため有効である。
【産業上の利用可能性】
【００３４】
以上のように、本発明は、日常における自律神経の過度の緊張を効率よく検知することができ、検査結果を有効なデータとして用いて、自律神経系の異常の原因を短時間に突き止めることが可能となるので、本発明は医療機関などでの自律神経検査に利用可能である。
【図面の簡単な説明】
【００３５】
【図１】本発明の実施の形態１における自律神経検査装置の構成を示すブロック図
【図２】血圧の１日における変動を説明する図
【図３】本発明の実施の形態２における自律神経検査装置の構成を示すブロック図
【図４】本発明の実施の形態３における自律神経検査装置の構成を示すブロック図
【図５】本発明の実施の形態４における自律神経検査装置の構成を示すブロック図
【図６】従来例における自律神経検査方法の構成を示すブロック図
【符号の説明】
【００３６】
１００  生体
１０２  血圧センサ（パラメータ測定器）
１０３  血圧計（パラメータ測定器）
１０８  長時間血圧記憶部
１０９  判定部
１１０  表示部
１１１  音声取込み部
１１２  長時間音声記憶部
１１３  音声再生機
１１４  時間データ発生器
１１５  時間指定器
１１６  無線送信器
１１７  無線受信器
【図１】
2005034470.tif 000003
【図２】
2005034470.tif 000004
【図３】
2005034470.tif 000005
【図４】
2005034470.tif 000006
【図５】
2005034470.tif 000007
【図６】
2005034470.tif 000008